(57)【要約】【課題】固定局（センター）から提供される各種情報および各種制御データを好適に受信する情報提供方法およびその装置を提供すること。【解決手段】車載情報端末装置１０は、ＸＭＬファイルを取得するための命令が含まれているＨＴＭＬファイルを受信する。そして、車載情報端末装置１０は、受信したＨＴＭＬファイルに基づいて、コンテンツを表示装置１２に表示する。また、車載情報端末装置１０は、ＸＭＬファイルを取得するための命令に基づいて、情報提供情報提供センター２０からＸＭＬファイルを受信する。すなわち、制御装置１３は、取得するための命令が＜ＬＩＮＫ＞タグで記載されていれば、自動的に情報提供情報提供センター２０からＸＭＬファイルを受信する。また、＜Ａ＞タグで記載されていれば、ユーザの操作に応じてＸＭＬファイルを受信する。そして、制御装置１３は、受信したＸＭＬファイルを実行する。【選択図】　図３
2004139373.tif 000002
【特許請求の範囲】
【請求項１】
情報端末装置と固定局とが互いに交信して、前記固定局が前記情報端末装置に対して各種情報を提供する情報提供方法において、
固定局は、
各種情報の表示に関するデータファイルと、情報端末装置を制御するための制御データファイルとをそれぞれ記憶し、前記データファイルと同データファイルに含まれて前記制御データファイルを取得するための命令とからなる情報ファイルを前記情報端末装置に提供し、
前記情報端末装置は、
前記固定局から提供された情報ファイルを受信し、同情報ファイルを構成する前記データファイルに基づいて情報を表示するとともに、前記制御データファイルを取得するための命令に基づいて前記固定局から前記制御データファイルを取得して、同取得した制御データファイルを実行するようにしたことを特徴とする情報提供方法。
【請求項２】
情報端末装置と固定局とが互いに交信して、前記固定局が前記情報端末装置に対して各種情報を提供する情報提供方法において、
固定局は、
各種情報の表示に関するデータファイルと、情報端末装置に各種処理を実行させる制御データと前記情報端末装置に同装置が有する情報を送信させる制御データとからなる制御データファイルとをそれぞれ記憶し、前記データファイルと同データファイルに含まれて前記制御データファイルを取得するための命令とからなる情報ファイルを前記情報端末装置に提供し、
前記情報端末装置は、
前記固定局から提供された情報ファイルを受信し、同情報ファイルを構成する前記データファイルに基づいて情報を表示するとともに、前記制御データファイルを取得するための命令に基づいて前記固定局から制御データファイルを取得し、同取得した制御データファイルを構成する制御データを情報端末装置にて実行すべき制御データか情報端末装置が有する情報を送信すべき制御データかを判定して実行するようにしたことを特徴とする情報提供方法。
【請求項３】
情報端末装置と固定局とが互いに交信して、前記固定局が前記情報端末装置に対して各種情報を提供する情報提供方法において、
固定局は、
各種情報の表示に関するデータファイルと、情報端末装置を制御するための制御データファイルとの組み合わせを構成し、同構成された組み合わせ間で共通する前記データファイルまたは前記制御データファイルを少なくとも記憶し、前記データファイルと同データファイルに含まれるとともに、前記組み合わせを構成する制御データファイルを取得するための命令とからなる情報ファイルを前記情報端末装置に提供し、
前記情報端末装置は、
前記固定局から提供された情報ファイルを受信し、同情報ファイルを構成する前記データファイルに基づいて情報を表示するとともに、前記制御データファイルを取得するための命令に基づいて前記固定局から前記組み合わせを構成する制御データファイルを取得して、同取得した制御データファイルを実行するようにしたことを特徴とする情報提供方法。
【請求項４】
前記請求項１ないし前記請求項３のうちのいずれか一つに記載した情報提供方法において、
前記制御データファイルを取得するための命令は、
前記情報端末装置が前記情報ファイルを受信すると自動的に制御データを取得する命令または前記情報端末装置のユーザの操作に基づいて制御データを取得する命令のうちの少なくとも一方であることを特徴とする情報提供方法。
【請求項５】
情報端末装置と固定局とが互いに交信して、前記固定局が前記情報端末装置に対して各種情報を提供する情報提供システムにおいて、
固定局は、
各種情報の表示に関するデータファイルと、情報端末装置を制御するための制御データファイルとをそれぞれ記憶するデータ記憶手段と、
前記データファイルと同データファイルに含まれて前記制御データファイルを取得するための命令とからなる情報ファイルを記憶する情報ファイル記憶手段と、
前記情報ファイル記憶手段に記憶された情報ファイルを前記情報端末装置に送信する送信手段と、
前記情報端末装置からの前記データファイルの取得要求情報を受信する受信手段とを備え、
前記情報端末装置は、
前記固定局から提供された情報ファイルを受信する受信手段と、
前記受信手段により受信した情報ファイルを構成する前記データファイルに基づいて情報を表示する表示手段と、
前記制御データファイルを取得するための命令に基づいて前記固定局から制御データファイルを取得する取得手段と、
前記取得手段により取得した制御データファイルを実行する制御データファイル実行手段とを備えたことを特徴とする情報提供システム。
【請求項６】
情報端末装置と固定局とが互いに交信して、前記固定局が前記情報端末装置に対して各種情報を提供する情報提供システムにおいて、
固定局は、
各種情報の表示に関するデータファイルと、情報端末装置に各種処理を実行させる制御データと前記情報端末装置に同装置が有する情報を送信させる制御データとからなる制御データファイルとをそれぞれ記憶するデータ記憶手段と、
前記データファイルと同データファイルに含まれて前記制御データファイルを取得するための命令とからなる情報ファイルを記憶する情報ファイル記憶手段と、
前記情報ファイル記憶手段に記憶された情報ファイルを前記情報端末装置に送信する送信手段と、
前記情報端末装置からの前記データファイルの取得要求情報を受信する受信手段とを備え、
前記情報端末装置は、
前記固定局から提供された情報ファイルを受信する受信手段と、
前記受信手段により受信した情報ファイルを構成する前記データファイルに基づいて情報を表示する表示手段と、
前記制御データファイルを取得するための命令に基づいて前記固定局から制御データファイルを取得する取得手段と、
前記取得手段により取得した制御データファイルを構成する制御データを情報端末装置にて実行すべき制御データか情報端末装置が有する情報を送信すべき制御データかを判定する判定手段と、
前記判定手段の判定に基づいて、前記制御データを実行する制御データファイル実行手段とを備えたことを特徴とする情報提供システム。
【請求項７】
情報端末装置と固定局とが互いに交信して、前記固定局が前記情報端末装置に対して各種情報を提供する情報提供システムにおいて、
固定局は、
各種情報の表示に関するデータファイルと、情報端末装置を制御するための制御データファイルとの組み合わせを構成し、同構成された組み合わせ間で共通する前記データファイルまたは前記制御データファイルを少なくとも記憶するデータ記憶手段と、
前記データファイルと同データファイルに含まれて前記制御データファイルを取得するための命令とからなる情報ファイルを記憶する情報ファイル記憶手段と、
前記情報ファイル記憶手段に記憶された情報ファイルを前記情報端末装置に送信する送信手段と、
前記情報端末装置からの前記データファイルの取得要求情報を受信する受信手段とを備え、
前記情報端末装置は、
前記固定局から提供された情報ファイルを受信する受信手段と、
前記受信手段により受信した情報ファイルを構成する前記データファイルに基づいて情報を表示する表示手段と、
前記制御データファイルを取得するための命令に基づいて前記固定局から前記組み合わせを構成する制御データファイルを取得する取得手段と、
前記取得手段により取得した制御データファイルを実行する制御データファイル実行手段とを備えたことを特徴とする情報提供システム。
【請求項８】
前記請求項５ないし前記請求項７のうちのいずれか一つに記載した情報提供システムにおいて、
前記制御データファイルを取得するための命令は、
前記情報端末装置が前記情報ファイルを受信すると自動的に制御データを取得する命令または前記情報端末装置のユーザの操作に基づいて制御データを取得する命令のうちの少なくとも一方であることを特徴とする情報提供システム。
【請求項９】
外部の端末装置に対して各種情報を提供する情報提供装置において、
各種情報の表示に関するデータファイルと、外部の端末装置を制御するための制御データファイルとをそれぞれ記憶するデータ記憶手段と、
前記データファイルと同データファイルに含まれて前記制御データファイルを取得するための命令とからなる情報ファイルを記憶する情報ファイル記憶手段と、
前記情報ファイル記憶手段に記憶された情報ファイルを前記外部の端末装置に送信する送信手段と、
前記外部の端末装置からの前記制御データファイルの取得要求情報を受信する受信手段とを備えたことを特徴とする情報提供装置。
【請求項１０】
外部の端末装置に対して各種情報を提供する情報提供装置において、
各種情報の表示に関するデータファイルと、外部の端末装置に各種処理を実行させる制御データと前記外部の端末装置に同装置が有する情報を送信させる制御データとからなる制御データファイルとをそれぞれ記憶するデータ記憶手段と、
前記データファイルと同データファイルに含まれて前記制御データファイルを取得するための命令とからなる情報ファイルを記憶する情報ファイル記憶手段と、
前記情報ファイル記憶手段に記憶された情報ファイルを前記外部の端末装置に送信する送信手段と、
前記外部の端末装置からの前記制御データファイルの取得要求情報を受信する受信手段とを備えたことを特徴とする情報提供装置。
【請求項１１】
外部の端末装置に対して各種情報を提供する情報提供装置において、
各種情報の表示に関するデータファイルと、外部の端末装置を制御するための制御データファイルとの組み合わせを構成する組み合わせ構成手段と、
前記組み合わせ構成手段により構成された組み合わせ間で共通する前記データファイルまたは前記制御データファイルを少なくとも記憶するデータ記憶手段と、
前記データファイルと同データファイルに含まれて前記制御データファイルを取得するための命令とからなる情報ファイルを記憶する情報ファイル記憶手段と、
前記情報ファイル記憶手段に記憶された情報ファイルを前記外部の端末装置に送信する送信手段と、
前記外部の端末装置からの前記制御データファイルの取得要求情報を受信する受信手段とを備えたことを特徴とする情報提供装置。
【請求項１２】
前記請求項９ないし前記請求項１１のうちのいずれか一つに記載した情報提供装置において、
前記制御データファイルを取得するための命令は、
前記外部の端末装置が前記情報ファイルを受信すると自動的に制御データを取得する命令または前記外部の端末装置のユーザの操作に基づいて制御データを取得する命令のうちの少なくとも一方であることを特徴とする情報提供装置。
【請求項１３】
外部から各種情報を取得する情報取得装置において、
外部から、各種情報の表示に関するデータファイルと、同データファイルに含まれて実行により各種制御を実現する制御データファイルを取得するための命令とからなる情報ファイルを受信する受信手段と、
前記受信手段により受信した情報ファイルを構成する前記データファイルに基づいて情報を表示する表示手段と、
前記制御データファイルを取得するための命令に基づいて前記外部から制御データファイルを取得する取得手段と、
前記取得手段により取得した制御データファイルを実行する制御データファイル実行手段とを備えたことを特徴とする情報取得装置。
【請求項１４】
外部から各種情報を取得する情報取得装置において、
外部から、各種情報の表示に関するデータファイルと、同データファイルに含まれて実行により各種制御を実現する制御データファイルを取得するための命令とからなる情報ファイルを受信する受信手段と、
前記受信手段により受信した情報ファイルを構成する前記データファイルに基づいて情報を表示する表示手段と、
前記制御データファイルを取得するための命令に基づいて前記外部から制御データファイルを取得する取得手段と、
前記取得手段により取得した制御データファイルを構成する制御データを、実行すべき制御データかまたは予め記憶している情報を送信すべき制御データかを判定する判定手段と、
前記判定手段の判定に基づいて、前記制御データを実行する制御データファイル実行手段とを備えたことを特徴とする情報取得装置。
【請求項１５】
前記請求項１３または前記請求項１４に記載した情報取得装置において、
前記制御データファイルを取得するための命令は、
前記情報ファイルを受信すると自動的に制御データを取得する命令または情報取得装置のユーザの操作に基づいて制御データを取得する命令のうちの少なくとも一方であることを特徴とする情報取得装置。
【発明の詳細な説明】
【０００１】
【発明の属する技術分野】
本発明は、固定局が情報端末装置と交信して、各種情報を提供する情報提供方法、情報提供システム、情報提供装置および情報取得装置に関する。
【０００２】
【従来の技術】
従来から、例えば、下記特許文献１に示すような、車載ナビゲーション装置は知られている。この車載ナビゲーション装置は、インターネットから得られるＨＴＭＬファイルを通常タグかナビゲーション装置の動作を制御する拡張タグかを判別するようになっている。そして、車載ナビゲーション装置がＨＴＭＬファイルを受信すると、前記判別に基づいて、受信したＨＴＭＬファイルに通常タグによる記述文があれば、文字などを表示するように作動し、拡張タグによる記述文があれば、車載ナビゲーション装置の動作を制御して各種機能を実行するようになっている。
【０００３】
【特許文献１】
特開平１１−１０１６５３号公報
【０００４】
【発明が解決しようとする課題】
しかしながら、上記従来の車載用ナビゲーション装置においては、一つのＨＴＭＬファイル内に記載された通常タグと拡張タグを判別する必要があり、処理に時間がかかる場合がある。また、例えば、受信したＨＴＭＬファイルに基づいて、さらに他のＨＴＭＬファイルを受信したり、車載ナビゲーション装置が有する情報（例えば、車両の現在位置情報など）を送信したりする動作があると、それぞれの動作をするための処理が必要であり、この処理を実行する際に時間がかかる場合がある。さらに、提供されるＨＴＭＬファイルの拡張タグによる記述文にバグなどが存在して車載ナビゲーション装置の動作に不具合を生じた場合、インターネット上に設置された情報を提供するサーバに記憶されたＨＴＭＬファイルを修正する必要がある。この場合、例えば、バグが存在する拡張タグによる記述文が、複数のＨＴＭＬファイルに含まれている場合には、すべてのＨＴＭＬファイルを修正する必要があり、煩雑である。
【０００５】
【発明の概略】
本発明は、上記した問題に対処するためになされたものであり、その目的は、固定局（センター）から提供される各種情報および各種制御データを好適に受信する情報提供方法およびその装置を提供することにある。
【０００６】
上記目的を達成するために、本発明の特徴は、情報端末装置と固定局とが互いに交信して、前記固定局が前記情報端末装置に対して各種情報を提供する情報提供方法において、固定局は、各種情報の表示に関するデータファイルと、情報端末装置を制御するための制御データファイルとをそれぞれ記憶し、前記データファイルと同データファイルに含まれて前記制御データファイルを取得するための命令とからなる情報ファイルを前記情報端末装置に提供し、前記情報端末装置は、前記固定局から提供された情報ファイルを受信し、同情報ファイルを構成する前記データファイルに基づいて情報を表示するとともに、前記制御データファイルを取得するための命令に基づいて前記固定局から前記制御データファイルを取得して、同取得した制御データファイルを実行するようにしたことにある。
【０００７】
また、本発明の他の特徴は、情報端末装置と固定局とが互いに交信して、前記固定局が前記情報端末装置に対して各種情報を提供する情報提供方法において、固定局は、各種情報の表示に関するデータファイルと、情報端末装置に各種処理を実行させる制御データと前記情報端末装置に同装置が有する情報を送信させる制御データとからなる制御データファイルとをそれぞれ記憶し、前記データファイルと同データファイルに含まれて前記制御データファイルを取得するための命令とからなる情報ファイルを前記情報端末装置に提供し、前記情報端末装置は、前記固定局から提供された情報ファイルを受信し、同情報ファイルを構成する前記データファイルに基づいて情報を表示するとともに、前記制御データファイルを取得するための命令に基づいて前記固定局から制御データファイルを取得し、同取得した制御データファイルを構成する制御データを情報端末装置にて実行すべき制御データか情報端末装置が有する情報を送信すべき制御データかを判定して実行するようにしたことにある。
【０００８】
また、本発明の他の特徴は、情報端末装置と固定局とが互いに交信して、前記固定局が前記情報端末装置に対して各種情報を提供する情報提供方法において、固定局は、各種情報の表示に関するデータファイルと、情報端末装置を制御するための制御データファイルとの組み合わせを構成し、同構成された組み合わせ間で共通する前記データファイルまたは前記制御データファイルを少なくとも記憶し、前記データファイルと同データファイルに含まれるとともに、前記組み合わせを構成する制御データファイルを取得するための命令とからなる情報ファイルを前記情報端末装置に提供し、前記情報端末装置は、前記固定局から提供された情報ファイルを受信し、同情報ファイルを構成する前記データファイルに基づいて情報を表示するとともに、前記制御データファイルを取得するための命令に基づいて前記固定局から前記組み合わせを構成する制御データファイルを取得して、同取得した制御データファイルを実行するようにしたことにある。
【０００９】
情報端末装置と固定局とが互いに交信して、前記固定局が前記情報端末装置に対して各種情報を提供する情報提供システムにおいて、固定局は、各種情報の表示に関するデータファイルと、情報端末装置を制御するための制御データファイルとをそれぞれ記憶するデータ記憶手段と、前記データファイルと同データファイルに含まれて前記制御データファイルを取得するための命令とからなる情報ファイルを記憶する情報ファイル記憶手段と、前記情報ファイル記憶手段に記憶された情報ファイルを前記情報端末装置に送信する送信手段と、前記情報端末装置からの前記データファイルの取得要求情報を受信する受信手段とを備え、前記情報端末装置は、前記固定局から提供された情報ファイルを受信する受信手段と、前記受信手段により受信した情報ファイルを構成する前記データファイルに基づいて情報を表示する表示手段と、前記制御データファイルを取得するための命令に基づいて前記固定局から制御データファイルを取得する取得手段と、前記取得手段により取得した制御データファイルを実行する制御データファイル実行手段とを備えたことにある。
【００１０】
また、本発明の他の特徴は、情報端末装置と固定局とが互いに交信して、前記固定局が前記情報端末装置に対して各種情報を提供する情報提供システムにおいて、固定局は、各種情報の表示に関するデータファイルと、情報端末装置に各種処理を実行させる制御データと前記情報端末装置に同装置が有する情報を送信させる制御データとからなる制御データファイルとをそれぞれ記憶するデータ記憶手段と、前記データファイルと同データファイルに含まれて前記制御データファイルを取得するための命令とからなる情報ファイルを記憶する情報ファイル記憶手段と、前記情報ファイル記憶手段に記憶された情報ファイルを前記情報端末装置に送信する送信手段と、前記情報端末装置からの前記データファイルの取得要求情報を受信する受信手段とを備え、前記情報端末装置は、前記固定局から提供された情報ファイルを受信する受信手段と、前記受信手段により受信した情報ファイルを構成する前記データファイルに基づいて情報を表示する表示手段と、前記制御データファイルを取得するための命令に基づいて前記固定局から制御データファイルを取得する取得手段と、前記取得手段により取得した制御データファイルを構成する制御データを情報端末装置にて実行すべき制御データか情報端末装置が有する情報を送信すべき制御データかを判定する判定手段と、前記判定手段の判定に基づいて、前記制御データを実行する制御データファイル実行手段とを備えたことにある。
【００１１】
また、本発明の他の特徴は、情報端末装置と固定局とが互いに交信して、前記固定局が前記情報端末装置に対して各種情報を提供する情報提供システムにおいて、固定局は、各種情報の表示に関するデータファイルと、情報端末装置を制御するための制御データファイルとの組み合わせを構成し、同構成された組み合わせ間で共通する前記データファイルまたは前記制御データファイルを少なくとも記憶するデータ記憶手段と、前記データファイルと同データファイルに含まれて前記制御データファイルを取得するための命令とからなる情報ファイルを記憶する情報ファイル記憶手段と、前記情報ファイル記憶手段に記憶された情報ファイルを前記情報端末装置に送信する送信手段と、前記情報端末装置からの前記データファイルの取得要求情報を受信する受信手段とを備え、前記情報端末装置は、前記固定局から提供された情報ファイルを受信する受信手段と、前記受信手段により受信した情報ファイルを構成する前記データファイルに基づいて情報を表示する表示手段と、前記制御データファイルを取得するための命令に基づいて前記固定局から前記組み合わせを構成する制御データファイルを取得する取得手段と、前記取得手段により取得した制御データファイルを実行する制御データファイル実行手段とを備えたことにある。
【００１２】
また、本発明の他の特徴は、外部の端末装置に対して各種情報を提供する情報提供装置において、各種情報の表示に関するデータファイルと、外部の端末装置を制御するための制御データファイルとをそれぞれ記憶するデータ記憶手段と、前記データファイルと同データファイルに含まれて前記制御データファイルを取得するための命令とからなる情報ファイルを記憶する情報ファイル記憶手段と、前記情報ファイル記憶手段に記憶された情報ファイルを前記外部の端末装置に送信する送信手段と、前記外部の端末装置からの前記制御データファイルの取得要求情報を受信する受信手段とを備えたことにある。
【００１３】
また、本発明の他の特徴は、外部の端末装置に対して各種情報を提供する情報提供装置において、各種情報の表示に関するデータファイルと、外部の端末装置に各種処理を実行させる制御データと前記外部の端末装置に同装置が有する情報を送信させる制御データとからなる制御データファイルとをそれぞれ記憶するデータ記憶手段と、前記データファイルと同データファイルに含まれて前記制御データファイルを取得するための命令とからなる情報ファイルを記憶する情報ファイル記憶手段と、前記情報ファイル記憶手段に記憶された情報ファイルを前記外部の端末装置に送信する送信手段と、前記外部の端末装置からの前記制御データファイルの取得要求情報を受信する受信手段とを備えたことにある。
【００１４】
また、本発明の他の特徴は、外部の端末装置に対して各種情報を提供する情報提供装置において、各種情報の表示に関するデータファイルと、外部の端末装置を制御するための制御データファイルとの組み合わせを構成する組み合わせ構成手段と、前記組み合わせ構成手段により構成された組み合わせ間で共通する前記データファイルまたは前記制御データファイルを少なくとも記憶するデータ記憶手段と、前記データファイルと同データファイルに含まれて前記制御データファイルを取得するための命令とからなる情報ファイルを記憶する情報ファイル記憶手段と、前記情報ファイル記憶手段に記憶された情報ファイルを前記外部の端末装置に送信する送信手段と、前記外部の端末装置からの前記制御データファイルの取得要求情報を受信する受信手段とを備えたことにある。
【００１５】
また、本発明の他の特徴は、外部から各種情報を取得する情報取得装置において、外部から、各種情報の表示に関するデータファイルと、同データファイルに含まれて実行により各種制御を実現する制御データファイルを取得するための命令とからなる情報ファイルを受信する受信手段と、前記受信手段により受信した情報ファイルを構成する前記データファイルに基づいて情報を表示する表示手段と、前記制御データファイルを取得するための命令に基づいて前記外部から制御データファイルを取得する取得手段と、前記取得手段により取得した制御データファイルを実行する制御データファイル実行手段とを備えたことにある。
【００１６】
さらに、本発明の他の特徴は、外部から各種情報を取得する情報取得装置において、外部から、各種情報の表示に関するデータファイルと、同データファイルに含まれて実行により各種制御を実現する制御データファイルを取得するための命令とからなる情報ファイルを受信する受信手段と、前記受信手段により受信した情報ファイルを構成する前記データファイルに基づいて情報を表示する表示手段と、前記制御データファイルを取得するための命令に基づいて前記外部から制御データファイルを取得する取得手段と、前記取得手段により取得した制御データファイルを構成する制御データを、実行すべき制御データかまたは予め記憶している情報を送信すべき制御データかを判定する判定手段と、前記判定手段の判定に基づいて、前記制御データを実行する制御データファイル実行手段とを備えたことにある。
【００１７】
これらの特徴においては、前記制御データファイルを取得するための命令は、前記情報ファイルを受信すると自動的に制御データを取得する命令または情報取得装置のユーザの操作に基づいて制御データを取得する命令のうちの少なくとも一方であるとよい。
【００１８】
これらの特徴によれば、固定局（情報提供装置）は、表示に関するデータファイルと、情報端末装置（情報取得装置）を制御するための制御データファイルとを異なるファイルとして提供することができるため、情報端末装置（情報取得装置）は、提供されたファイルを解析する必要がない。このため、解析に関する処理時間を短くすることができて、ユーザに好適に情報を提供することができる。また、固定局（情報提供装置）は、表示に関するデータファイルと、情報端末装置（情報取得装置）に各種処理を実行させる制御データと、情報端末装置（情報取得装置）が有する情報を送信させる制御データとを異なるファイルとして提供することができるため、情報端末装置（情報取得装置）は、データファイルを受信する処理と情報を送信する処理とを分けることができる。このため、処理を判別する処理を省略することができて、情報を処理する処理時間を大幅に低減することができる。
【００１９】
さらに、固定局（情報提供装置）は、表示に関するデータファイルと、情報端末装置（情報取得装置）を制御するための制御データファイルとの組み合わせを構成することができる。そして、構成された組み合わせ間で共通する前記データファイルまたは制御データファイルを少なくとも記憶することができる。このため、固定局（情報提供装置）は、必要なデータファイルを共有した状態で、情報端末装置（情報取得装置）に各種情報を提供することができる。これにより、共有するファイルに、例えば、バグが発生した場合であっても、該当するデータファイルを修正することにより、バグを解消することができて、好適に情報端末装置（情報取得装置）に情報を提供することができる。また、すべてのデータファイルおよび制御データファイルを記憶しておく必要がないため、記憶容量を小さくすることもできる。
【００２０】
【発明の実施の形態】
以下に、本発明の第１実施形態を図面を用いて説明する。図１は、同実施形態に係る情報提供システムを概略的に示した概略ブロック図である。
【００２１】
この情報提供システムは、車両に搭載された車両情報端末装置１０と、各種情報を提供する情報提供情報提供センター２０とを備えている。情報表示装置１０は、車両の車室内の運転席近傍に配置されており、図２に示すように、互いに通信可能に接続された入力装置１１、表示器１２、制御装置１３、記憶装置１４、通信装置１５を備えている。入力装置１１は、表示器１２の近傍に設けられた操作スイッチ、表示器１２に組み込まれたパネルタッチスイッチなどからなり、運転者または同乗者の指示を入力するものである。表示器１２は、文字、図形、地図などを表示パネル上に表示するものである。
【００２２】
制御装置１３は、ＣＰＵ、ＲＯＭ、ＲＡＭなどからなり、プログラムの実行により、運転者の指示に応じて表示器１２、記憶装置１４および通信装置１５の作動を統括的に制御する。また、制御装置１３は、情報提供センター２０から受信したＸＭＬファイルの指示に基づいて、同指示内容の動作を実行する。記憶装置１４は、ハードディスク、ＣＤ−ＲＯＭ、ＤＶＤ−ＲＯＭなどの記録媒体および同記録媒体のドライブ装置を含むものであり、予め各種プログラムおよび各種データを記憶しているとともに、交信により情報提供センター２０から取得したＨＴＭＬファイルを記憶する。通信装置１５は、情報提供センター２０との無線交信を可能とするものであり、通信装置１５には、無線交信するアンテナ１５ａが接続されている。
【００２３】
情報提供センター２０は、図２に示すように、互いに通信可能に接続された制御装置２１、記憶装置２２および通信装置２３を備えている。制御装置２１は、ＣＰＵ、ＲＯＭ、ＲＡＭなどからなり、プログラムの実行により、記憶装置２２および通信装置２３の作動を統括的に制御する。記憶装置２２は、ハードディスク、ＣＤ−ＲＯＭ、ＤＶＤ−ＲＯＭなどの記録媒体および同記録媒体のドライブ装置を含むものであり、予め各種プログラムおよび各種データを記憶している。また、記憶装置２２のハードディスク内には、コンテンツ情報を記憶しておくためのコンテンツ情報データベース２２ａが構築されている。
【００２４】
ここで、コンテンツ情報は、表示を行うＨＴＭＬファイルと車載情報端末装置１０の制御を行う制御データを有するＸＭＬファイルとから構成されている。ＨＴＭＬファイルは、ユーザが提供を要求するコンテンツの内容を表示するためのデータと、同データを所定形式に表示するための命令とを含むファイルである。そして、ＨＴＭＬファイルには、前記ＸＭＬファイルを取得するための命令も含まれている。ＸＭＬファイルを取得するための命令は、さまざまな機能をユーザが独自に記載できるように拡張されたＸＭＬ形式で記載されている。ＸＭＬファイルは、車載情報端末装置１０の制御装置１３が実行することにより、例えば、地図データを取得して自動的に地図を表示させたり、音声データを取得して自動的に音声合成させたりする機能を実現するファイルである。そして、ＨＴＭＬファイルとＸＭＬファイルとは、それぞれ分離されてコンテンツ情報データベース２２ａの所定記憶位置に記憶されている。
【００２５】
通信装置２３は、情報表示装置１０と無線通信可能とするものである。そして、通信装置２３には、無線交信するアンテナ２３ａが接続されている。ここで、情報表示装置１０および情報提供センター２０間の交信は、アンテナ１５ａおよびアンテナ２３ａを用いて無線で行われるものであるが、通常の方法で行われて特徴を有するものではない。したがって、以降の説明において、受信、送信などと単にいう場合にはこれらに交信方法の適当な方法を採用しているものとする。
【００２６】
次に、上記のように構成した本実施形態の動作を、フローチャートを参照しながら説明する。ユーザは、情報表示装置１０に対し、情報提供センター２０からコンテンツ情報を取得してコンテンツを表示するように指示する。すなわち、ユーザは、入力装置１１を利用して、同指示を入力するとともに、コンテンツのＵＲＬ（Ｕｎｉｆｏｒｍ　Ｒｅｓｏｕｒｃｅ　Ｌｏｃａｔｏｒ）を入力する。前記入力されると、制御装置１３は、図３の情報取得プログラムの実行をステップＳ１０にて開始する。続くステップＳ１１にて、制御装置１３は、前記指示を表す情報提供要求情報とＵＲＬとを情報提供センター２０に送信する。
【００２７】
情報提供センター２０においては、制御装置２１が、ステップＣ１０にて、前記送信された情報提供要求情報とＵＲＬとを受信して、ステップＣ１１に進む。ステップＣ１１においては、制御装置２１は、前記ステップＣ１０にて受信したＵＲＬに基づいて、コンテンツ情報データベース２２ａを検索し、ユーザが要求するコンテンツに該当するＨＴＭＬファイルを取得する。そして、制御装置２１は、取得したＨＴＭＬファイルを車載情報端末装置１０に送信する。
【００２８】
車載情報端末装置１０においては、制御装置１３が、ステップＳ１２にて、送信されたＨＴＭＬファイルを受信する。次に、ステップＳ１３にて、受信したＨＴＭＬファイルにＸＭＬファイルを取得するための命令として、＜ＬＩＮＫ＞タグが含まれているか否かを判定する。この＜ＬＩＮＫ＞タグとは、受信したＨＴＭＬファイルが表示されたとき、自動的に情報提供センター２０からＸＭＬファイルを取得し、同取得したＸＭＬファイルを自動的に実行するための命令である。すなわち、＜ＬＩＮＫ＞タグがＨＴＭＬファイルに含まれていると、ユーザが操作することなく、制御装置１３が自動的に制御データに基づく動作を実行し、同動作により表される情報をユーザに提供するための命令である。なお、＜ＬＩＮＫ＞タグには、ＸＭＬファイルの記憶位置情報が記載されており、同記憶位置情報により表される記憶位置に記憶されているＸＭＬファイルを取得するようになっている。
【００２９】
この＜ＬＩＮＫ＞タグがＨＴＭＬファイルに含まれていれば、制御装置１３は「Ｙｅｓ」と判定してステップＳ１４に進み、ステップＳ１４にて、受信したＨＴＭＬファイルを表示装置１２に表示するとともに、ＸＭＬファイルの提供を情報提供センター２０に要求する。また、＜ＬＩＮＫ＞タグがＨＴＭＬファイルに含まれていなければ、制御装置１３は「Ｎｏ」と判定して、ステップＳ１５に進む。
【００３０】
ステップＳ１５においては、ＸＭＬファイルを取得するための命令として、＜Ａ＞タグが含まれているか否かを判定する。この＜Ａ＞タグとは、受信したＨＴＭＬファイルが表示されたとき、ユーザに対して、ＸＭＬファイルの取得操作を促す操作ボタンを表示するとともに、同操作ボタンが操作されると自動的に情報提供センター２０からＸＭＬファイルを取得し、同取得したＸＭＬファイルを自動的に実行するための命令である。すなわち、＜Ａ＞タグがＨＴＭＬファイルに含まれていると、ユーザの操作ボタン操作に応じて、制御装置１３が自動的に制御データに基づく動作を実行し、同動作により表される情報をユーザに提供するための命令である。なお、＜Ａ＞タグには、ＸＭＬファイルの記憶位置情報が記載されており、同記憶位置情報により表される記憶位置に記憶されているＸＭＬファイルを取得するようになっている。
【００３１】
この＜Ａ＞タグがＨＴＭＬファイルに含まれていれば、制御装置１３は「Ｙｅｓ」と判定してステップＳ１６に進み、ステップＳ１６にて、受信したＨＴＭＬファイルを表示装置１２に表示するとともに、操作ボタンを表示装置１２に表示する。次に、ステップＳ１７にて、ユーザによる操作ボタンの操作があったか否かを判定し、操作ボタンが操作されるまで、「Ｎｏ」の判定を繰り返す。そして、ユーザにより操作ボタンが操作されると「Ｙｅｓ」と判定して、ステップＳ１８に進み、ステップＳ１８にて、ＸＭＬファイルの提供を情報提供センター２０に要求する。
【００３２】
また、ステップＳ１５にて、＜Ａ＞タグがＨＴＭＬファイルに含まれていなければ、制御装置１３は「Ｎｏ」と判定して、ステップＳ２１にて、ＨＴＭＬファイルの内容を表示装置１２に表示し、ステップＳ２２にて、情報取得プログラムの実行を終了する。
【００３３】
前記ステップＳ１４または前記ステップＳ１８の処理後、情報提供センター２０の制御装置２１は、ステップＣ１２にて、前記ステップＳ１４，１８にて送信されたＸＭＬファイルの提供要求を受信して取得する。次に、ステップＣ１３にて、制御装置２１は、＜ＬＩＮＫ＞タグまたは＜Ａ＞タグに記載されている記憶位置情報に基づいて、コンテンツ情報データベース２２ａを検索し、該当するＸＭＬファイルを取得する。そして、ステップＣ１４にて、取得したＸＭＬファイルを車載情報端末装置１０に送信する。
【００３４】
車載情報端末装置１０においては、制御装置１３が、ステップＳ１９にて、前記送信されたＸＭＬファイルを受信し、ステップＳ２０にて、受信したＸＭＬファイルに基づく動作を実行する。そして、ステップＳ２２にて、情報取得プログラムの実行を終了する。
【００３５】
上記のように説明した情報取得プログラムにおける動作を具体的に図４および図５に基づいて詳細に説明する。まず、＜ＬＩＮＫ＞タグがＨＴＭＬファイルに含まれる場合の動作を説明する。車載情報端末装置１０の制御装置１３が情報取得プログラムのステップＳ１２にて、図４に示すＨＴＭＬファイルを受信すると、ステップＳ１３にて「Ｙｅｓ」と判定する。図４に示すように、受信したＨＴＭＬファイルには、＜ＬＩＮＫ＞タグに記憶位置情報として「ｈｔｔｐ：○○○○．ｃｏ．ｊｐ／ｎｅｗｓ／ｎｅｗｓ１．ｘｍｌ」とされたＸＭＬファイルを取得するための命令が記載されている。
【００３６】
制御装置１３は、ステップＳ１４にて、受信したＨＴＭＬファイルすなわち「本日のニュース」なるコンテンツを表示器１２に表示するとともに、自動的に前記記憶位置に記憶されている制御データの提供を情報提供センター２０に要求する。情報提供センター２０においては、制御装置２１が、前記記憶位置情報に記憶されている制御データを検索して抽出し、車載情報端末装置１０に送信する。この送信された制御データが、例えば、ニュースの読み上げデータであれば、制御装置１３は、読み上げデータに基づいて、自動的にニュースの読み上げを実行し、図示しない、スピーカから音声を発声する。このように、ＸＭＬファイルを取得するための命令として＜ＬＩＮＫ＞タグが記載されていれば、制御装置１３は、自動的に制御データの内容を実行して、ユーザに情報を提供する。
【００３７】
次に、＜Ａ＞タグがＨＴＭＬファイルに含まれる場合の動作を説明する。車載情報端末装置１０の制御装置２１が情報取得プログラムのステップＳ１２にて、図５に示すＨＴＭＬファイルを受信すると、ステップＳ１３にて「Ｎｏ」と判定し、ステップＳ１５にて「Ｙｅｓ」と判定する。図５に示すように、受信したＨＴＭＬファイルには、＜Ａ＞タグに記憶位置情報として「ｈｔｔｐ：○○○○．ｃｏ．ｊｐ／ｓｈｏｐ／ｍａｐ．ｘｍｌ」とされたＸＭＬファイルを取得するための命令が記載されている。
【００３８】
制御装置１３は、ステップＳ１４にて、受信したＨＴＭＬファイルすなわち「○○本屋」なるコンテンツ（例えば、お店情報など）を、図６（ａ）に示すように、表示装置１２に表示する。また、制御装置１３は、表示装置１２に「地図」なる操作ボタンも表示する。そして、ユーザが、操作ボタンを例えばタッチ操作すると、制御装置１３は、ステップＳ１７にて「Ｙｅｓ」と判定し、ステップＳ１８にて、自動的に前記記憶位置に記憶されている制御データ（地図表示データ）の提供を情報提供センター２０に要求する。情報提供センター２０においては、制御装置２１が、前記記憶位置情報に記憶されている地図表示データを検索して抽出し、車載情報端末装置１０に送信する。制御装置１３は、地図表示データに基づいて、自動的に表示画面を切替えて、図６（ｂ）に示すように、地図を表示する。このように、ＸＭＬファイルを取得するための命令として＜Ａ＞タグが記載されていれば、制御装置１３は、ユーザの操作ボタンの操作に応じて、自動的に制御データの内容を実行して、ユーザに情報を提供する。
【００３９】
なお、本実施形態の説明においては、表示画面に地図を表示するのみの動作を説明したが、受信した地図表示データを、例えば、ナビゲーション装置に供給することにより、○○本屋を目的地に設定して経路探索し、ナビゲーション装置が経路案内するように実施することも可能である。
【００４０】
上記の説明からも理解することができるように、本実施形態によれば、コンテンツを表示するＨＴＭＬファイルと音声の発声や地図の表示などの車載情報端末装置１０を制御するＸＭＬファイルとを分けて提供することができる。このため、車載情報端末装置１０にて、ファイル構造を解析する必要がなくて、車載情報端末装置１０における処理時間を短縮することができる。
【００４１】
上記実施形態においては、ＸＭＬファイルを取得するための命令がＨＴＭＬファイルに含まれていると、自動的にＸＭＬファイルを取得するとともに、取得後自動的にＸＭＬファイルを実行するようにして実施した。しかしながら、情報提供センター２０から取得するコンテンツの中には、＜ＬＩＮＫ＞タグまたは＜Ａ＞タグの記載が不適切であり、自動的にＸＭＬファイルが実行しないほうが好適な場合がある。そこで、上記実施形態の情報取得プログラムを、ＸＭＬファイルにて実行される処理を予め分類しておき、同分類に基づいてＸＭＬファイルを取得するための命令を実行するように変形して実施してもよい。以下に、この変形例を詳細に説明するが、上記実施形態と同一部分については同一符号を付し、上記実施形態と異なる部分についてのみ説明する。
【００４２】
この変形例においては、ＸＭＬファイルにて実行される処理を予め分類しておく。この分類は、以下のように分類される。すなわち、ＨＴＭＬファイルと自動的に連携する処理またはＨＴＭＬファイルを制御する処理は、＜ＬＩＮＫ＞タグの実行により取得されるＸＭＬファイルを実行する。また、ＨＴＭＬファイルとユーザの操作に応じて連携する処理は、＜Ａ＞タグの実行により取得されるＸＭＬファイルを実行する。また、自動的な車載情報端末装置１０の情報の更新や情報提供センター２０への車載情報端末装置１０の情報の自動的な送信は、ＣＤＦにより取得されるＸＭＬファイルを実行する。ここで、ＣＤＦとは、擬似プッシュ技術の一つであり、ＣＤＦファイルに記述されたスケジュールに従って指定されたＵＲＬにアクセスする。そして、ユーザの操作を介さずに指定時間に指定されたＵＲＬにアクセスし、取得したＸＭＬファイルを処理するものである。
【００４３】
上記のような分類がされた状態で、図３のフローチャートのステップＳ２０が、図７に示すフローチャートのステップＳ２０’ように変更される。ステップＳ２０’においては、制御装置１３が、ＸＭＬファイルすなわち制御データ実行ルーチンを実行する。この制御データ実行ルーチンは、図８に示すように、ステップＳ３０にて開始され、同開始後、ステップＳ３１にて、制御装置１３は、前記ステップＳ１９にて、＜ＬＩＮＫ＞タグのＸＭＬファイルを受信したか否かを判定する。同判定により、＜ＬＩＮＫ＞タグのＸＭＬファイルを受信していれば、「Ｙｅｓ」と判定し、ステップＳ３２にて、＜ＬＩＮＫ＞タグでＸＭＬファイルを実行してよいか否かを判定する。制御装置１３は、上記分類に基づいて、実行してよければ、「Ｙｅｓ」と判定して、ステップＳ３６にて、受信したＸＭＬファイルすなわち制御データを実行する。また、実行が禁止されていれば、「Ｎｏ」と判定し、ステップＳ３７にて、制御データ実行ルーチンの実行を終了する。このように、ステップＳ３２にて、「Ｎｏ」と判定されると、表示装置１２には、ＨＴＭＬファイルの内容を表示し続ける。
【００４４】
また、ステップＳ３１にて、＜ＬＩＮＫ＞タグのＸＭＬファイルを受信していなければ、「Ｎｏ」と判定し、ステップＳ３３にて、＜Ａ＞タグのＸＭＬファイルを受信しているか否かを判定する。同判定により、＜Ａ＞タグのＸＭＬファイルを受信していれば、「Ｙｅｓ」と判定し、ステップＳ３４にて、＜Ａ＞タグでＸＭＬファイルを実行してよいか否かを判定する。制御装置１３は、上記分類に基づいて、実行してよければ、「Ｙｅｓ」と判定して、ステップＳ３６にて、受信したＸＭＬファイルすなわち制御データを実行する。また、実行が禁止されていれば、「Ｎｏ」と判定し、ステップＳ３７にて、制御データ実行ルーチンの実行を終了する。
【００４５】
また、ステップＳ３１およびステップＳ３３にて「Ｎｏ」と判定すると、制御装置１３は、ステップＳ３５にて、ＣＤＦで実行してよいか否かを判定する。制御装置１３は、上記分類に基づいて、実行してよければ、「Ｙｅｓ」と判定して、ステップＳ３６にて、受信したＸＭＬファイルすなわち制御データを実行する。また、実行が禁止されていれば、「Ｎｏ」と判定し、ステップＳ３７にて、制御データ実行ルーチンの実行を終了する。
【００４６】
このように、この変形例によれば、上記実施形態と同様の効果を得ることができるとともに、処理の実行の良否を判別するため、適切な表示画面にてユーザにコンテンツを提供することができて、好適である。
【００４７】
また、上記第１実施形態においては、それぞれのＨＴＭＬファイルをコンテンツ情報データベース２２ａに記憶するとともに、同ＨＴＭＬファイルに記載されたＸＭＬファイルを取得するための命令に対応したＸＭＬファイルをそれぞれコンテンツ情報データベース２２ａに記憶するようにして実施した。しかしながら、複数のＨＴＭＬファイルに記載されたＸＭＬファイルを取得するための命令が同一であり、情報提供センター２０から送信されるＸＭＬファイルが同一の場合、これらのＸＭＬファイルを共用することが可能である。以下、このように、ＸＭＬファイルを共用して、情報提供する第２実施形態について説明する。なお、この第２実施形態において、車載情報端末装置１０および情報提供センター２０にて実行される情報取得プログラムは、上記第１実施形態と同一であるため、その詳細な説明は省略する。
【００４８】
この第２実施形態においては、図２の情報提供センター２０のコンテンツ情報データベース２２ａが省略されて、図９に示すように、ＨＴＭＬファイルデータベース２２ｂと共用ＸＭＬファイルデータベース２２ｃが設けられている。ＨＴＭＬファイルデータベース２２ｂは、コンテンツを表示するためのＨＴＭＬファイルを記憶している。記憶されているＨＴＭＬファイルは、ユーザが提供を要求するコンテンツの内容を表示するためのデータと、同データを所定形式に表示するための命令とを含むファイルである。そして、ＨＴＭＬファイルには、共用するＸＭＬファイルを取得するための命令も含まれている。共用ＸＭＬファイルデータベース２２ｃは、ＨＴＭＬファイルによって共用されるＸＭＬファイルを記憶している。この共用されるＸＭＬファイルは、複数のＨＴＭＬファイルにて共用されて、車載情報端末装置１０の制御装置１３が実行することにより、例えば、地図データを取得して自動的に地図を表示させたり、音声データを取得して自動的に音声合成させたりする機能を実現するファイルである。
【００４９】
このように構成された第２実施形態の情報提供システムにおいて、車載情報端末装置１０と情報提供センター２０とが図３の情報提供プログラムを実行して、情報を提供する動作を図９に示す概略図を参照しながら説明する。なお、この動作説明においては、２人のユーザＡ，Ｂがそれぞれの車載情報端末装置１０を操作して、音楽コンテンツの提供を要求する場合を例として説明する。
【００５０】
ユーザＡは、情報提供センター２０に対して、情報表示装置１０を操作して、カラオケコンテンツを提供するように要求する。この要求に応答して、情報提供センター２０は、ＨＴＭＬファイルデータベース２２ｂを検索し、カラオケ用コンテンツを表すＨＴＭＬファイルをユーザＡの車載情報端末装置１０に提供する。一方、ユーザＢは、情報提供センター２０に対して、車載情報端末装置１０を操作して、情報提供センター２０からコンパクトディスク（ＣＤ）のオンラインショッピングを提供するように要求する。この要求に応答して、情報提供センター２０は、ＨＴＭＬファイルデータベース２２ｂを検索し、ＣＤオンラインショッピング用コンテンツを表すＨＴＭＬファイルをユーザＢの車載情報端末装置１０に提供する。
【００５１】
ここで、ユーザＡ，Ｂに提供された各ＨＴＭＬファイルに共通して、例えば、音楽を聴いている同一のイメージキャラクタを表示するように、ＸＭＬファイルを取得するための命令が＜ＬＩＮＫ＞タグにて記載されていれば、情報提供センター２０は、共用ＸＭＬファイルデータベース２２ｃを検索して、該当するＸＭＬファイルを取得する。そして、取得したＸＭＬファイルをユーザＡ，Ｂのそれぞれの車載情報端末装置１０に提供する。これにより、ユーザＡ，Ｂのそれぞれの車載情報端末装置１０の表示装置１２には、音楽を聴いている同一のイメージキャラクタが表示される。
【００５２】
このように、この第２実施形態によれば、ＨＴＭＬファイルとＸＭＬファイルを分離して記憶するとともに、共用することができるＸＭＬファイルのみを記憶することができる。このため、上記第１実施形態と同様の効果に加えて、すべてのＨＴＭＬファイルにそれぞれ対応するＸＭＬファイルを記憶しておく必要がなくて、ＸＭＬファイルを記憶しておく記憶容量を小さくすることができる。また、ＸＭＬファイルを複数のＨＴＭＬファイルにて共用することができるため、例えば、ＸＭＬファイルを修正する必要があるとき、一つのＸＭＬファイルを修正することにより、すべてのコンテンツを正常に表示することができる。
【００５３】
すなわち、それぞれのＨＴＭＬファイルにそれぞれ対応するＸＭＬファイルを記憶している場合には、同一のＸＭＬファイルであっても、それぞれを修正する必要がある。これに対して、ＸＭＬファイルを共用することにより、共用しているＸＭＬファイルを修正するのみで、容易にＨＴＭＬファイルを正常に作動させることができる。このため、ＸＭＬファイルの修正に必要な時間を大幅に低減することができて、好適にユーザにコンテンツを提供することができる。
【００５４】
上記各実施形態および変形例においては、車載情報端末装置１０と情報提供センター２０とは、ＨＴＭＬファイルに記載された命令の順（シーケンス）に基づいて処理を実行する。このため、例えば、情報提供センター２０に対して、ＸＭＬファイルの提供要求を連続して処理した後、情報提供センター２０から受信したＸＭＬファイルを実行したりする場合がある。この場合、車載情報端末装置１０は、ＸＭＬファイルが提供要求しなければならないＸＭＬファイルか車載情報端末装置１０内で実行しなければならないＸＭＬファイルかを判別する必要がある。
【００５５】
そこで、車載情報端末装置１０内で実行するシーケンスを、図１１に示すように、ＨＴＭＬファイルを取得した後、情報提供センター２０に対して、ＸＭＬファイルの要求の送信とＸＭＬファイルの受信とを繰り返し実行するように実施してもよい。以下に、この第３実施形態を詳細に説明するが、上記第１実施形態と同一部分については同一符号を付してその説明を省略し、上記第１実施形態と異なる部分についてのみ説明する。
【００５６】
この第３実施形態においては、情報提供センター２０のコンテンツ情報データベース２２ａに記憶されているＨＴＭＬファイルの記載が、図１２に示すように、ＸＭＬファイルの受信と、ＸＭＬファイルの提供要求または車載情報端末装置１０が有している情報の送信とが順に記載されて記憶されている。このように記載することにより、車載情報端末装置１０の制御装置１３は、受信したＨＴＭＬファイルを実行する際に、受信する動作と送信する動作を分離することができる。
【００５７】
また、この第３実施形態においては、図３に示したフローチャートが図１３に示すように変形される。すなわち、図３のフローチャートのステップＳ２０が、図１３に示すフローチャートのステップＳ２０’’ように変更されて実行される。ステップＳ２０’’においては、制御装置１３が、ＸＭＬファイル実行ルーチンを実行する。このＸＭＬファイル実行ルーチンは、図１４に示すように、ステップＳ４０にて開始され、同開始後、ステップＳ４１にて、制御装置１３は、前記ステップＳ１９にて受信したＸＭＬファイルが情報提供センター２０に対して車載情報端末装置１０が有する情報の送信を必要とするファイル（以下、アップロード系ファイルという）か否かを判定する。なお、車載情報端末装置１０が有する情報としては、例えば、車両の走行距離やナビゲーション装置が搭載されていれば、同装置から供給された車両の現在位置情報などである。
【００５８】
同判定により、情報の送信が必要であれば、「Ｙｅｓ」と判定し、ステップＳ４２にて、制御装置１３は、車両に搭載された各装置から情報提供センター２０に送信すべき情報を取得する。そして、ステップＳ４３にて、制御装置１３は、情報提供センター２０に前記取得した情報を送信する。また、情報の送信が必要ではないファイルを受信していれば、「Ｎｏ」と判定し、ステップＳ４４にて、制御装置１３は、受信したＸＭＬファイルを実行する。そして、ステップＳ４３またはステップＳ４４の処理後、ステップＳ４５にて、ＸＭＬファイル実行ルーチンの実行を終了する。
【００５９】
このように、第３実施形態によっても、上記第１実施形態と同様の効果を得ることができるとともに、図１４のステップＳ４１にて、車載情報端末装置１０内で実行されるＸＭＬファイルの処理内容を判定することができる。このため、車載情報端末装置１０の処理速度を向上することができて、ユーザに好適にコンテンツを提供することができる。
【００６０】
また、上記各実施形態および変形例において、情報提供センター２０から提供されるＨＴＭＬファイルに＜ＬＩＮＫ＞タグと＜Ａ＞タグが混在している場合がある。この場合には、図１５（ａ），（ｂ）に示すように、＜ＬＩＮＫ＞タグの処理と＜Ａ＞タグの処理とを分割し変形して実施することも可能である。なお、以下、この変形例について説明するが、基本的には、上記各実施形態および変形例で説明した各ステップを分割して実施するため、上記各実施形態および変形例と同一部分については同一符号を付してその詳細な説明は省略する。
【００６１】
この変形例においては、図１５（ａ）のフローチャートに示すように、ＨＴＭＬファイルを情報提供センター２０から受信すると、上記各実施形態および変形例と同様に各ステップを実行して、まず、＜ＬＩＮＫ＞タグの処理を実行する。そして、ステップＳ２２’にて、情報の取得を一旦終了する。この状態において、ＨＴＭＬファイルに＜Ａ＞タグが含まれていると、制御装置１３は、同＜Ａ＞タグに基づいて、表示装置１２に操作ボタンを表示する。そして、ユーザにより、操作ボタンが操作されると、制御装置１３は、図１５（ｂ）のフローチャートに示すステップＳ１０’にて、＜Ａ＞タグ処理を実行する。この＜Ａ＞タグの処理も上記実施形態および変形例と同様に、各ステップが実行されて＜Ａ＞タグの処理が実行される。なお、図１５（ｂ）のステップＣ１２’〜ステップＣ１４’およびステップＳ１９’は、図１５（ａ）のステップＣ１２〜ステップＣ１４およびステップＳ１９すなわち上記実施形態および変形例のステップＣ１２〜ステップＣ１４およびステップＳ１９と同一の処理である。
【００６２】
このように、＜ＬＩＮＫ＞タグの処理と＜Ａ＞タグの処理とを分割することにより、ＨＴＭＬファイルに＜ＬＩＮＫ＞タグと＜Ａ＞タグとが混在していても、それぞれＸＭＬファイルを受信して処理することができて、上記実施形態および変形例と同様の効果を得ることができる。
【図面の簡単な説明】
【図１】本発明の情報提供システムを概略的に示した概略ブロック図である。
【図２】図１の車載情報端末装置および情報提供センターの構成を概略的に示した概略ブロック図である。
【図３】図１の車載情報端末装置および情報提供センターにて実行される情報取得プログラムのフローチャートである。
【図４】車載情報端末装置が受信するＨＴＭＬファイルに記載された＜ＬＩＮＫ＞タグを説明するための図である。
【図５】車載情報端末装置が受信するＨＴＭＬファイルに記載された＜Ａ＞タグを説明するための図である。
【図６】（ａ）（ｂ）は、図５のＨＴＭＬファイルに記載された＜Ａ＞タグの動作を説明するための図である。
【図７】本発明の第１実施形態の変形例に係る車載情報端末装置および情報提供センターにて実行される情報取得プログラムのフローチャートである。
【図８】本発明の第１実施形態の変形例に係る車載情報端末装置にて実行される制御データ実行ルーチンのフローチャートである。
【図９】本発明の第２実施形態に係る車載情報端末装置および情報提供情報提供センター２０の構成を概略的に示した概略ブロック図である。
【図１０】図９の車載情報端末装置および情報提供センター間の情報の流れを説明するための図である。
【図１１】本発明の第３実施形態に係る車載情報端末装置と情報提供センターとの間で送受信される情報のシーケンスを表す概略図である。
【図１２】本発明の第３実施形態に係る情報提供センターが記憶するＨＴＭＬファイルを説明するための図である。
【図１３】本発明の第３実施形態に係る車載情報端末装置および情報提供センターにて実行される情報取得プログラムのフローチャートである。
【図１４】本発明の第３実施形態に係る車載情報端末装置にて実行されるＸＭＬファイル実行ルーチンのフローチャートである。
【図１５】（ａ）（ｂ）は、本発明の変形例に係る車載情報端末装置および情報提供センターにて実行される情報取得プログラムのフローチャートである。
【符号の説明】
１０…情報表示装置、１１…入力装置、１２…表示装置、１３…制御装置、１４…記憶装置、１５…通信装置、２０…センター、２１…制御装置、２２…記憶装置、２２ａ…コンテンツ情報データベース、２２ｂ…ＨＴＭＬファイルデータベース、２２ｃ…共用ＸＭＬファイルデータベース、２３…通信装置。
【図１】
2004139373.tif 000003
【図２】
2004139373.tif 000004
【図３】
2004139373.tif 000005
【図４】
2004139373.tif 000006
【図５】
2004139373.tif 000007
【図６】
2004139373.tif 000008
【図７】
2004139373.tif 000009
【図８】
2004139373.tif 000010
【図９】
2004139373.tif 000011
【図１０】
2004139373.tif 000012
【図１１】
2004139373.tif 000013
【図１２】
2004139373.tif 000014
【図１３】
2004139373.tif 000015
【図１４】
2004139373.tif 000016
【図１５】
2004139373.tif 000017